(57)【要約】【課題】排出機構が配設された基体部と被排出媒体を積載するスタッカ部との位置精度及び基体部を覆うハウジング部とスタッカ部との位置精度が高い媒体排出装置等を提供すること。【解決手段】スタッカ部１４２が取り付けられた基体部１４４ａ、１４４ｂをハウジング部１０４に位置決め固定する際に、前記スタッカ部と前記ハウジング部の位置精度を高める位置決め固定部１４８を前記基体部と前記ハウジング部に設ける。これにより、基体部とスタッカ部との位置関係及びハウジング部とスタッカ部との位置関係を共に高精度にすることができるので、この媒体排出装置が例えば記録装置に適用された場合に、高速・高精度な記録が可能な記録装置を構成することができる。【選択図】図５
2008013311.tif 000002
【特許請求の範囲】
【請求項１】
被排出媒体を排出する媒体排出装置であって、
前記被排出媒体を排出する排出機構が配設された基体部と、
排出される前記被排出媒体を積載するスタッカ部と、
少なくとも前記基体部を覆うハウジング部とを備え、
前記スタッカ部が取り付けられた前記基体部を前記ハウジング部に位置決め固定する際に、前記スタッカ部と前記ハウジング部の位置精度を高める位置決め固定部を前記基体部と前記ハウジング部に設けたことを特徴とする媒体排出装置。
【請求項２】
前記位置決め固定部は、前記基体部の直交３方向（Ｘ方向、Ｙ方向、Ｚ方向）の位置を決める部位と、前記基体部を固定する部位を備えていることを特徴とする請求項１に記載の媒体排出装置。
【請求項３】
前記Ｘ方向位置決め部位は、前記ハウジングに設けられた第１のピンと、前記基体部に設けられ、前記第１のピンが挿入されるＸ方向に伸びる第１の長穴とを備え、前記Ｙ方向位置決め部位は、前記基体部に設けられた第２のピンと、前記ハウジングに設けられ、前記第２のピンが挿入されるＹ方向に伸びる第２の長穴とを備え、前記Ｚ方向位置決め部位は、前記ハウジングに設けられたリブと、前記基体部に設けられ、前記リブ上に当接される凸部とを備えていることを特徴とする請求項２に記載の媒体排出装置。
【請求項４】
前記固定部位は、前記ハウジングに設けられたネジ挿入穴と、前記基体部に設けられ、前記ネジ挿入穴に挿入されるネジが螺合されるネジ螺合穴とを備えていることを特徴とする請求項２又は３に記載の媒体排出装置。
【請求項５】
前記固定部位は、前記位置決め部位に近接して設けられていることを特徴とする請求項２〜４の何れか一項に記載の媒体排出装置。
【請求項６】
前記Ｚ方向位置決め部位上に、前記Ｘ方向位置決め部位と前記Ｙ方向位置決め部位が設けられ、前記Ｘ方向位置決め部位と前記Ｙ方向位置決め部位間に、前記固定部位が設けられていることを特徴とする請求項２〜５の何れか一項に記載の媒体排出装置。
【請求項７】
被搬送媒体を搬送して排出する媒体搬送装置であって、
請求項１〜６の何れか一項に記載の媒体排出装置を備えたことを特徴とする媒体搬送装置。
【請求項８】
請求項７に記載の媒体搬送装置を備えたことを特徴とする電子機器。
【発明の詳細な説明】
【技術分野】
【０００１】
本発明は、被排出媒体を排出する媒体排出装置及びその媒体排出装置を備えた媒体搬送装置並びにその媒体搬送装置を備えた電子機器に関する。
【背景技術】
【０００２】
一般に、電子機器の１つである記録装置は、背面側から給紙される用紙を搬送しつつ記録し、記録完了した用紙を前面側に排紙する。このような記録装置には、前面側に排紙される用紙を積載するためのスタッカが配設されている。このスタッカは、略矩形板状に形成されており、使用時は排紙される用紙を積載するために排紙口の下部から前方に向かって突き出た状態にあり、不使用時は設置スペースを節約するため及び排紙口の内部への塵や埃等の侵入を防止するために排紙口を覆って塞いだ状態にある必要がある。このため、スタッカは、排紙口の下部の装置本体（ハウジング）に軸支持されて、当該軸を中心に排紙口を開閉、即ち略水平姿勢と略垂直姿勢との間を回動自在となるように配設されている（特許文献１、２参照）。
【０００３】
【特許文献１】特開２００３−９５５１２号公報
【特許文献２】特開２００４−４３０９４号公報
【発明の開示】
【発明が解決しようとする課題】
【０００４】
上述した従来の記録装置は、特にスタッカを閉じた際の外装デザインを優先、即ち装置本体と閉じた状態のスタッカとの位置関係を高精度にするために、スタッカの回動軸を受ける回動軸穴は装置本体に設けられている。ところが、近年、記録の高速・高精度化に伴い、用紙の給紙・搬送・排紙の精度向上が求められるようになってきている。このため、特に排紙機構と開いた状態のスタッカとの位置関係を高精度にする必要がある。しかし、従来の記録装置は、装置本体と閉じた状態のスタッカとの位置関係を高精度にしているため、特に排紙機構と開いた状態のスタッカとの位置関係は大きなばらつきを含んでいる。この点を解消するには、スタッカの回動軸を受ける穴を排紙機構に設ければ良いが、逆に装置本体と閉じた状態のスタッカとの位置関係が大きなばらつきを含むことになる。
【０００５】
本発明は、上記のような課題に鑑みなされたものであり、その目的は、排出機構が配設された基体部と被排出媒体を積載するスタッカ部との位置精度及び基体部を覆うハウジング部とスタッカ部との位置精度が高い媒体排出装置及びその媒体排出装置を備えた媒体搬送装置並びにその媒体搬送装置を備えた電子機器を提供することにある。
【課題を解決するための手段】
【０００６】
上記目的達成のため、本発明の媒体排出装置では、被排出媒体を排出する媒体排出装置であって、前記被排出媒体を排出する排出機構が配設された基体部と、排出される前記被排出媒体を積載するスタッカ部と、少なくとも前記基体部を覆うハウジング部とを備え、前記スタッカ部が取り付けられた前記基体部を前記ハウジング部に位置決め固定する際に、前記スタッカ部と前記ハウジング部の位置精度を高める位置決め固定部を前記基体部と前記ハウジング部に設けたことを特徴としている。これにより、基体部とスタッカ部との位置関係及びハウジング部とスタッカ部との位置関係を共に高精度にすることができるので、この媒体排出装置が例えば記録装置に適用された場合に、高速・高精度な記録が可能な記録装置を構成することができる。
【０００７】
また、前記位置決め固定部は、前記基体部の直交３方向（Ｘ方向、Ｙ方向、Ｚ方向）の位置を決める部位と、前記基体部を固定する部位を備えていることを特徴としている。これにより、基体部とスタッカ部との位置関係及びハウジング部とスタッカ部との位置関係は完全に良好なものとなる。具体的な構成としては、前記Ｘ方向位置決め部位は、前記ハウジングに設けられた第１のピンと、前記基体部に設けられ、前記第１のピンが挿入されるＸ方向に伸びる第１の長穴とを備え、前記Ｙ方向位置決め部位は、前記基体部に設けられた第２のピンと、前記ハウジングに設けられ、前記第２のピンが挿入されるＹ方向に伸びる第２の長穴とを備え、前記Ｚ方向位置決め部位は、前記ハウジングに設けられたリブと、前記基体部に設けられ、前記リブ上に当接される凸部とを備えていることを特徴としている。また、前記固定部位は、前記ハウジングに設けられたネジ挿入穴と、前記基体部に設けられ、前記ネジ挿入穴に挿入されるネジが螺合されるネジ螺合穴とを備えていることを特徴としている。
【０００８】
また、前記固定部位は、前記位置決め部位に近接して設けられていることを特徴としている。具体的には、前記Ｚ方向位置決め部位上に、前記Ｘ方向位置決め部位と前記Ｙ方向位置決め部位が設けられ、前記Ｘ方向位置決め部位と前記Ｙ方向位置決め部位間に、前記固定部位が設けられていることを特徴としている。これにより、高精度な位置決め状態を長期に亘って維持することができる。上記目的達成のため、本発明の媒体搬送装置では、被搬送媒体を搬送して排出する媒体搬送装置であって、上記各媒体排出装置を備えたことを特徴としている。また、本発明の電子機器では、上記媒体搬送装置を備えたことを特徴としている。これにより、上記各作用効果を奏する媒体搬送装置又は電子機器を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係る媒体搬送装置を備えた電子機器である記録装置の外観構成の全体を示す斜視図、図２は、その内部構造を示す断面側面図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１１】
このインクジェット式プリンタ１００は、図１に示すように、全体が略直方体状のハウジング（ハウジング部）１０１で覆われている。このハウジング１０１は、アッパーハウジング１０２、ミドルハウジング１０３、ロアハウジング１０４の上下３段に分割されている。そして、アッパーハウジング１０２の上面における前面（以下、「前面」は図１に示す設置状態のときの前面をいう）側には操作部１１０が配設され、ミドルハウジング１０３の前面における図示左側にはメモリカードスロット部１２０が配設され、アッパーハウジング１０２の上面における背面（以下、「背面」は図１に示す設置状態のときの背面をいう）側には給紙部１３０が配設され、ミドルハウジング１０３の前面側には本発明の特徴的な部分である排紙部（媒体排出装置）１４０が配設されている。更に、このインクジェット式プリンタ１００の内部には、図２に示すように、用紙搬送部１５０及び記録部１６０が配設されている。
【００１２】
操作部１１０は、図１に示すように、略矩形状の操作パネル１１１を備え、この操作パネル１１１の略中央部に操作状態等を表示する液晶表示パネル１１２が装着され、この液晶表示パネル１１２の両側にパワーをオン・オフするパワー系、用紙の頭出し等を操作したりインクのフラッシング等を操作する操作系、画像処理等を行う処理系等の複数のボタン１１３が配設されている。ユーザは、液晶表示パネル１１２を見て確認しながら各種のボタン１１３を操作することができるので、誤操作を防止することができる。
【００１３】
メモリカードスロット部１２０は、図１に示すように、図示矢印ａ方向に開閉自在なカバー１２１で覆われている。このメモリカードスロット部１２０は、複数スロット形成され、複数種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１４】
給紙部１３０は、図１及び図２に示すように、上方に向かって矩形状に開口した給紙口１３１を開閉する機能及び給紙する用紙を１枚もしくは複数枚サポートする機能を併せ持ったペーパーサポート１３２と、このペーパーサポート１３２にサポートされている用紙を自動給紙する自動給紙機構１３３を備えている。ペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の両側に指を掛けてペーパーサポート１３２を開閉することができるので、用紙の差し入れを容易に行うことができ、また給紙口１３１内への埃の侵入を防止することができる。
【００１５】
排紙部１４０は、図１及び図２に示すように、前方に向かって矩形状に開口した排紙口１４１を開閉する機能及び排紙される用紙を１枚もしくは複数枚スタックする機能を併せ持ったスタッカ（スタッカ部）１４２と、記録された用紙をスタッカ１４２へ排紙する排紙機構１４３と、図示しないディスク搬送機構を備えている。スタッカ１４２は、下端の回動軸を中心に図示矢印ｃ方向に回動可能に取り付けられている。ユーザは、インクジェット式プリンタ１００を使用又は不使用のときは、スタッカ１４２の上部に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。排紙機構１４３は、排紙ローラ４１とギザローラ４２等を備えている。排紙ローラ４１とギザローラ４２は、プラテン１６３の搬送下流側に対向配設されており、プラテン１６３を通過してくる用紙を排紙ローラ４１とギザローラ４２で挟持してスタッカ１４２上へ排紙する。ディスク搬送機構は、スタッカ１４２の上方に配設されており、排紙口１４１から挿入されるディスクを保持したトレイを往復搬送する。
【００１６】
用紙搬送部１５０は、図２に示すように、給紙部１３０から排紙部１４０に掛けて配設されており、搬送機構１５１を備えている。この搬送機構１５１は、記録動作に同期して副走査方向に用紙を送る紙送りローラ５１とその従動ローラ５２等が配設されている。紙送りローラ５１は、プラテン１６３の搬送上流側に配設されており、自動給紙機構１３３により給送される用紙を従動ローラ５２と共に挟持してプラテン１６３へ送り出すようになっている。記録部１６０は、図２に示すように、記録動作に同期して主走査方向に移動するキャリッジ１６１、記録動作に同期してインクを吐出する記録ヘッド１６２、記録時の用紙を平坦に保持するプラテン１６３等を備えている。次に、本発明の特徴的な部分である排紙部１４０について、更に図を参照して説明する。
【００１７】
図３は、上記排紙部１４０を前面左側から見た斜視図、図４は、上記排紙部１４０を前面右側から見た側面図である。これらの図は、アッパーハウジング１０２及びミドルハウジング１０３が取外された状態を示している。ここで、課題においても説明したように、記録の高速・高精度化に伴い、用紙の給紙・搬送・排紙の精度向上が求められるようになってきている。このため、特に排紙機構１４３と開いた状態のスタッカ１４２との位置関係を高精度にする必要がある。本実施形態では、スタッカ１４２は、排紙機構１４３及びディスク搬送機構を両側から挟んで支持する対向配置されたフレーム（基体部）１４４ａ、１４４ｂに取り付けられている。
【００１８】
即ち、スタッカ１４２は、両側面１４２ａ、１４２ｂにおける図示搬送上流側の位置に、円筒状の回動軸（係合部、係合軸）１４５ａ、１４５ｂが突設されている。一方、フレーム１４４ａ、１４４ｂは、図示前面側下方の位置に設けられた係合形成部１４４ａｂ、１４４ｂｂに、回動軸１４５ａ、１４５ｂが回動自在に挿入可能な円筒状の回動軸穴（係合部、係合穴）１４６ａ、１４６ｂが穿孔されている。そして、回動軸１４５ａ、１４５ｂが回動軸穴１４６ａ、１４６ｂに挿入されて、スタッカ１４２はフレーム１４４ａ、１４４ｂに対して回動する。従って、用紙の排紙姿勢に対し組付けバラツキの影響を極力排除して、排紙機構１４３と開いた状態のスタッカ１４２との位置関係を高精度にすることができるので、排紙精度を高めて記録の高速・高精度化に対応することができる。また、アッパーハウジング１０２及びミドルハウジング１０３が無い状態でも排紙機構１４３の排紙評価が可能となる。
【００１９】
更に、フレーム１４４ａ、１４４ｂにおける回動軸穴１４６ａ、１４６ｂの上方は、庇状のスタッカストッパ１４７ａ、１４７ｂが形成されている。スタッカ１４２が閉状態から開方向へ回動軸１４５ａ、１４５ｂを中心に回動したとき、スタッカ１４２における回動軸１４５ａ、１４５ｂよりも搬送上流側のスタッカ１４２の上面１４２ｃの両端部がスタッカストッパ１４７ａ、１４７ｂに当接し、スタッカ１４２の回動を規制する。このとき、スタッカ１４２の上面１４２ｃは、フレーム１４４ａ、１４４ｂの間に配設されている用紙搬送面１４４ｃと面一となる。従って、排紙機構１４３と開いた状態のスタッカ１４２との位置関係を更に高精度にすることができるので、排紙精度を更に高めて記録の高速・高精度化に対応することができる。
【００２０】
ここで、課題においても説明したように、ハウジング１０１は内部の自動給紙機構１３３、搬送機構１５１、排紙機構１４３等を保護する必要があることから高剛性で形成されている。そのために、スタッカ１４２と一体的に形成されている回動軸１４５ａ、１４５ｂを挿入する回動軸穴１４６ａ、１４６ｂが、仮にハウジング１０１に設けられている場合は、当該挿入作業が困難となる。しかし、本実施形態の回動軸穴１４６ａ、１４６ｂは、少なくとも外側に向かって弾性変形可能に構成されたフレーム１４４ａ、１４４ｂに形成されている。従って、フレーム１４４ａ、１４４ｂを外側に向かって弾性変形させて、回動軸１４５ａ、１４５ｂを回動軸穴１４６ａ、１４６ｂに合わせ、フレーム１４４ａ、１４４ｂを復元することにより、スタッカ１４２と一体的に形成されている回動軸１４５ａ、１４５ｂを回動軸穴１４６ａ、１４６ｂに容易に挿入することができる。このため、従来のようにスタッカの回動軸を別部品として伸縮自在な構造とする必要が無く、部品点数の増加や、寸法ばらつきの増大、コストの上昇という問題を解消することができる。以上のような構成により、排紙機構１４３と開いた状態のスタッカ１４２との位置関係を高精度にすることができるが、更に、ハウジング１０１と閉じた状態のスタッカ１４２との位置関係を高精度にするために、以下のような構成となっている。
【００２１】
図５（Ａ）、（Ｂ）は、フレーム１４４ａを下方から見た斜視図及びロアハウジング１０４を上方から見た斜視図である。尚、図示していないが、フレーム１４４ｂ側も同様の構成となっており、以下では説明を省略する。フレーム１４４ａ及びロアハウジング１０４には、スタッカ１４２が取り付けられたフレーム１４４ａをロアハウジング１０４に位置決め固定する際に、スタッカ１４２とロアハウジング１０４の位置精度を高める位置決め固定部１４８が設けられている。
【００２２】
この位置決め固定部１４８は、フレーム１４４ａの図５（Ａ）に示す一点鎖線で囲んだ底部１４４ａａの部分Ａと、この部分Ａに対応するロアハウジング１０４の図５（Ｂ）に示す一点鎖線で囲んだ内部１０４ａの部分Ｂに設けられている。即ち、位置決め固定部１４８は、フレーム１４４ａのロアハウジング１０４に対する図示直交３方向（Ｘ方向（主走査方向）、Ｙ方向（用紙搬送方向）、Ｚ方向（高さ方向））の位置を決める位置決め部１４８ａ、１４８ｂ、１４８ｃと、フレーム１４４ａをロアハウジング１０４に固定する位置固定部１４８ｄを備えている。
【００２３】
Ｚ方向の位置決め部１４８ｃは、ロアハウジング１０４に設けられたリブ１４８ｃａと、フレーム１４４ａにおけるリブ１４８ｃａと対応する位置に設けられ、リブ１４８ｃａ上に当接される凸部１４８ｃｂとを備えている。リブ１４８ｃａは、ロアハウジング１０４の内部１０４ａの底面１０４ｂからＺ方向に立設されたＹ方向に延びる壁状に形成されており、平坦なリブ頂面１４８ｃｃがＺ方向の位置決めとして機能する。凸部１４８ｃｂは、フレーム１４４ａの底部１４４ａａからＺ方向に突設されたＹ方向に延びる板状に形成されており、平坦な凸頂面１４８ｃｄがＺ方向の位置決めとして機能する。即ち、凸部１４８ｃｂの凸頂面１４８ｃｄがリブ１４８ｃａのリブ頂面１４８ｃｃと当接されることにより、スタッカ１４２が取り付けられたフレーム１４４ａをロアハウジング１０４に高精度なＺ方向の位置決めを行うことができ、これによりスタッカ１４２とロアハウジング１０４のＺ方向の位置精度を高めることができる。
【００２４】
Ｘ方向の位置決め部１４８ａは、ロアハウジング１０４に設けられた第１のピン１４８ａａと、フレーム１４４ａにおける第１のピン１４８ａａと対応する位置に設けられ、第１のピン１４８ａａが挿入されるＸ方向に伸びる第１の長穴１４８ａｂとを備えている。第１のピン１４８ａａは、ロアハウジング１０４のリブ１４８ｃａのリブ頂面１４８ｃｃにおける前面側の端部にＺ方向に延びる円筒状に形成されており、Ｘ方向の位置決めとして機能する。第１の長穴１４８ａｂは、フレーム１４４ａの凸部１４８ｃｂの前面側にＺ方向に貫通し、かつ一端が切り欠かれた楕円状に形成されており、Ｘ方向の位置決めとして機能する。即ち、第１の長穴１４８ａｂに第１のピン１４８ａａが挿入されることにより、スタッカ１４２が取り付けられたフレーム１４４ａをロアハウジング１０４に高精度なＸ方向の位置決めを行うことができ、これによりスタッカ１４２とロアハウジング１０４のＸ方向の位置精度を高めることができる。
【００２５】
Ｙ方向の位置決め部１４８ｂは、フレーム１４４ａに設けられた第２のピン１４８ｂａと、ロアハウジング１０４における第２のピン１４８ｂａと対応する位置に設けられ、第２のピン１４８ｂａが挿入されるＹ方向に伸びる第２の長穴１４８ｂｂとを備えている。第２のピン１４８ｂａは、フレーム１４４ａの凸部１４８ｃｂの凸頂面１４８ｃｄにおける背面側の端部にＺ方向に延びる円筒状に形成されており、Ｙ方向の位置決めとして機能する。第２の長穴１４８ｂｂは、ロアハウジング１０４のリブ１４８ｃａのリブ頂面１４８ｃｃにおける背面側にＹ方向に長軸を持つ楕円筒状に形成されており、Ｙ方向の位置決めとして機能する。即ち、第２の長穴１４８ｂｂに第２のピン１４８ｂａが挿入されることにより、スタッカ１４２が取り付けられたフレーム１４４ａをロアハウジング１０４に高精度なＹ方向の位置決めを行うことができ、これによりスタッカ１４２とロアハウジング１０４のＹ方向の位置精度を高めることができる。
【００２６】
また、位置固定部１４８ｄは、フレーム１４４ａに設けられたネジ挿入穴１４８ｄａと、ロアハウジング１０４におけるネジ挿入穴１４８ｄａと対応する位置に設けられ、ネジ挿入穴１４８ｄａに挿入される図示しないネジが螺合されるネジ螺合穴１４８ｄｂとを備えている。ネジ挿入穴１４８ｄａは、フレーム１４４ａの凸部１４８ｃｂにおける第１の長穴１４８ａｂと第２のピン１４８ｂａとの間にＺ方向に貫通し、かつ一端が切り欠かれた楕円状に形成されており、位置固定として機能する。ネジ螺合穴１４８ｄｂは、ロアハウジング１０４のリブ１４８ｃａのリブ頂面１４８ｃｃにおける第１のピン１４８ａａと第２の長穴１４８ｂｂとの間に円筒状に形成されており、位置固定として機能する。即ち、ネジ挿入穴１４８ｄａとネジ螺合穴１４８ｄｂが合わされた後、ネジがネジ挿入穴１４８ｄａを通されてネジ螺合穴１４８ｄｂに螺合されることにより、スタッカ１４２が取り付けられたフレーム１４４ａをロアハウジング１０４に固定することができ、これによりスタッカ１４２とロアハウジング１０４のＸ、Ｙ、Ｚ方向の位置精度を高めることができる。そして、位置固定部１４８ｄは、位置決め部１４８ａ、１４８ｂ、１４８ｃに近接して設けられているので、位置決め部１４８ａ、１４８ｂ、１４８ｃによる高精度な位置決め状態を長期に亘って維持することができる。
【００２７】
図６は、スタッカ１４２が取り付けられたフレーム１４４ａ、１４４ｂをロアハウジング１０４に位置決め固定した状態を示す斜視図、図７は、図６の状態から更にミドルハウジング１０３を取り付けた状態を示す平面図及び拡大斜視図である。図６に示すように、スタッカ１４２が取り付けられたフレーム１４４ａ、１４４ｂをロアハウジング１０４に位置決め固定した状態では、上述したように、フレーム１４４ａ、１４４ｂが弾性変形し易い構成となっているためガタが発生する。そこで、図７に示すように、フレーム１４４ａ、１４４ｂは、ミドルハウジング１０３で覆われたときに位置決め固定可能なように構成されている。
【００２８】
即ち、ミドルハウジング１０３には、フレーム１４４ａ、１４４ｂの各外側側面を外側から押さえ込むと共に、回動軸穴１４６ａ、１４６ｂが形成されたフレーム１４４ａ、１４４ｂの係合形成部１４４ａｂ、１４４ｂｂを上方、側方及び後方から押さえ込む押さえ込み部１０３ａ、１０３ｂが形成されている。これにより、スタッカ１４２が取り付けられたフレーム１４４ａ、１４４ｂを、ロアハウジング１０４に位置決め固定すると共にミドルハウジング１０３で覆うことにより、ガタ付きが無いように押さえ込むことができる。このため、排紙機構１４３と特に開いた状態のスタッカ１４２との位置関係を高精度に維持することができると共に、ハウジング１０１と特に閉じた状態のスタッカ１４２との位置関係を高精度に維持することができる。従って、用紙の特に排紙の精度を向上させて記録の高速・高精度化を達成することができると共に、プリンタ外装において余計な隙間や段差の発生を無くして外装デザイン性を高めることができる。
【００２９】
以上のように、本実施形態の排紙部１４０を備えたインクジェット式プリンタ１００によれば、スタッカ１４２が取り付けられたフレーム１４４ａ、１４４ｂをロアハウジング１０４に位置決め固定する際に、スタッカ１４２とロアハウジング１０４の位置精度を高める位置決め固定部１４８をフレーム１４４ａ、１４４ｂとロアハウジング１０４に設けたので、フレーム１４４ａ、１４４ｂとスタッカ１４２との位置関係及びロアハウジング１０４とスタッカ１４２との位置関係を共に高精度にすることができ、高速・高精度な記録が可能となる。
【００３０】
また、位置決め固定部１４８は、ロアハウジング１０４に対するフレーム１４４ａ、１４４ｂの直交３方向（Ｘ方向、Ｙ方向、Ｚ方向）の位置決め部１４８ａ、１４８ｂ、１４８ｃと、ロアハウジング１０４に対するフレーム１４４ａ、１４４ｂの位置固定部１４８ｄを備えているので、フレーム１４４ａ、１４４ｂとスタッカ１４２との位置関係及びロアハウジング１０４とスタッカ１４２との位置関係は完全に良好なものとなる。また、位置固定部１４８ｄは、位置決め部１４８ａ、１４８ｂに近接して設けられているので、高精度な位置決め状態を長期に亘って維持することができる。
【産業上の利用可能性】
【００３１】
媒体排出装置を備えた記録装置であれば、例えばファクシミリ装置、コピー装置、スキャナ等であっても適用可能である。また、記録装置に限らず、媒体排出装置を備えた一般的な電子装置にも適用可能である。
【図面の簡単な説明】
【００３２】
【図１】本発明の一実施の形態に係る媒体搬送装置を備えた電子機器である記録装置の外観構成の全体を示す斜視図である。
【図２】図１の記録装置の内部構造を示す断面側面図である。
【図３】図１の記録装置の排紙部を前面左側から見た斜視図である。
【図４】図１の記録装置の排紙部を前面右側から見た側面図である。
【図５】図１の記録装置のフレームを下方から見た斜視図及びロアハウジングを上方から見た斜視図である。
【図６】図１の記録装置のスタッカが取り付けられたフレームをロアハウジングに位置決め固定した状態を示す斜視図である。
【図７】図６の状態から更にミドルハウジングを取り付けた状態を示す平面図及び拡大斜視図である。
【符号の説明】
【００３３】
１００  インクジェット式プリンタ、１０１  ハウジング、１０２  アッパーハウジング、１０３  ミドルハウジング、１０４  ロアハウジング、１１０  操作部、１２０  メモリカードスロット部、１３０  給紙部、１４０  排紙部、１４１  排紙口、１４２  スタッカ、１４３  排紙機構、１４４ａ、１４４ｂ  フレーム、１４４ａｂ、１４４ｂｂ  係合形成部、１４５ａ、１４５ｂ  回動軸、１４６ａ、１４６ｂ  回動軸穴、１４７ａ、１４７ｂ  スタッカストッパ、１４８  位置決め固定部、１４８ａ、１４８ｂ、１４８ｃ  位置決め部、１４８ｄ  位置固定部、１４８ａａ  第１のピン、１４８ａｂ  第１の長穴、１４８ｂａ  第２のピン、１４８ｂｂ  第２の長穴、１４８ｃａ  リブ、１４８ｃｂ  凸部、１４８ｃｃ  リブ頂面、１４８ｃｄ  凸頂面、１４８ｄａ  ネジ挿入穴、１４８ｄｂ  ネジ螺合穴、１５０  用紙搬送部、１６０  記録部
【図１】
2008013311.tif 000003
【図２】
2008013311.tif 000004
【図３】
2008013311.tif 000005
【図４】
2008013311.tif 000006
【図５】
2008013311.tif 000007
【図６】
2008013311.tif 000008
【図７】
2008013311.tif 000009